(57)【要約】【課題】溝部をコンパクトに構成し、複数の光学系に対応できる光学部品用筐体と、この光学部品用筐体を備えるプロジェクタを提供すること。【解決手段】光学部品用筐体２７は、第１レンズアレイ２１２と、第２レンズアレイ２１３とを含んで構成され、第１レンズアレイ２１２が挿入されて位置決めする溝部５１，５２が、照明光軸Ａを挟んで対向する位置に形成され、溝部５１，５２は、異なる種類の第１レンズアレイ２１２Ａ，２１２Ｂを当接するために、照明光軸Ａに直交して形成され、照明光軸Ａ方向に対向させて形成された当接面部５１１，５１２、および当接面部５２１，５２２を有し、前記当接面部のいずれか一方に、第１レンズアレイ２１２Ａ，２１２Ｂの光束入射側の面部または光束射出側の面部を当接させて配置される。また、プロジェクタ１は、このような光学部品用筐体２７を備える。【選択図】図５
2009210855.tif 000002
【特許請求の範囲】
【請求項１】
光源から射出された光束を画像情報に応じて変調して光学像を形成する光変調装置を照明する複数の光学部品を収容し、それぞれの前記光学部品を所定の位置に配置する光学部品用筐体であって、
前記複数の光学部品は、前記光源から射出された光束を複数の部分光束に分割する第１レンズアレイと、該第１レンズアレイに応じた複数のレンズ要素を備える第２レンズアレイとを含んで構成され、
前記第１レンズアレイおよび第２レンズアレイのいずれか一方が挿入されて該レンズアレイを位置決めする溝部が、照明光軸を挟んで対向する位置に２つ形成され、
２つの前記溝部は、一方のレンズアレイにおいて異なる種類のレンズアレイを当接するために、前記照明光軸に直交して形成され、前記照明光軸方向に対向させて形成された２つの当接面部をそれぞれ有し、
前記異なる種類のレンズアレイは、前記溝部に１つ挿入され、前記当接面部の対応するいずれか一方に、該レンズアレイの対応する、光束入射側の面部または光束射出側の面部を当接させて配置されることを特徴とする光学部品用筐体。
【請求項２】
請求項１に記載の光学部品用筐体であって、
一方の前記溝部は、前記レンズアレイの一方の外周端面を前記照明光軸に直行する方向で受ける受面部を有し、
他方の前記溝部は、前記レンズアレイの光束入射側および光束射出側に傾斜して形成された２つの傾斜受面部を有し、
前記異なる種類のレンズアレイを前記溝部に挿入し、概レンズアレイの光束入射側の面部を、該光束入射側に対応する前記当接面部に当接した場合、一方の前記溝部において、前記レンズアレイの光束射出側の面部と、概光束射出側に対応する前記当接面部との隙間に前記レンズアレイを前記当接面部に押圧する付勢部材を挿入し、他方の前記溝部において、前記レンズアレイの光束射出側の前記外周端面の縁部と光束射出側の前記傾斜受面部との隙間に前記付勢部材を挿入することを特徴とする光学部品用筐体。
【請求項３】
請求項１に記載の光学部品用筐体であって、
一方の前記溝部は、前記レンズアレイの一方の外周端面を前記照明光軸に直行する方向で受ける受面部を有し、
他方の前記溝部は、前記レンズアレイの光束入射側および光束射出側に傾斜して形成された２つの傾斜受面部を有し、
前記異なる種類のレンズアレイを前記溝部に挿入し、概レンズアレイの光束射出側の面部を、該光束射出側に対応する前記当接面部に当接した場合、一方の前記溝部において、前記レンズアレイの光束入射側の面部と、概光束入射側に対応する前記当接面部との隙間に前記レンズアレイを前記当接面部に押圧する付勢部材を挿入し、他方の前記溝部において、前記レンズアレイの光束入射側の前記外周端面の縁部と光束入射側の前記傾斜受面部との隙間に前記付勢部材を挿入することを特徴とする光学部品用筐体。
【請求項４】
光源から射出された光束を画像情報に応じて変調して光学像を形成し、概光学像を投写するプロジェクタであって、
請求項１〜請求項３のいずれか一項に記載の光学部品用筐体を備えていることを特徴とするプロジェクタ。
【発明の詳細な説明】
【技術分野】
【０００１】
本発明は、光源から射出された光束を画像情報に応じて変調して光学像を形成する光変調装置を照明する複数の光学部品を収容し、それぞれの光学部品を所定の照明光軸上に配置する光学部品用筐体、および、この光学部品用筐体を備えたプロジェクタに関する。
【背景技術】
【０００２】
従来、プロジェクタは、会議などでのプレゼンテーション用や、家庭などでの娯楽用など、多方面に渡って使用されている。このようなプロジェクタは、光源と、光源から射出された光束を画像情報に応じて変調して光学像を形成する光変調装置を含む光学装置と、光学像を投写する投写光学装置などを備えている。
【０００３】
ここで、プロジェクタの光学装置には、光源と光変調装置との間に、インテグレータ照明光学系が設けられることが多く、インテグレータ照明光学系を設けることにより、光変調装置を照明する光束の面内照度を均一にし、投写画像全体の明るさの均一化を図ることができるという利点がある。
具体的なインテグレータ照明光学系としては、照明光軸に直交する面内にマトリクス状に配置されるレンズ要素を備え、光源の後段に配置される光束分割素子としての第１レンズアレイと、この第１レンズアレイのレンズ要素に応じた複数のレンズ要素から構成される第２レンズアレイとを備えたものが知られている。
なお、インテグレータ照明光学系を構成する光学部品を含み、光源から射出された光束を光変調装置に導く各種光学部品は、通常、内部に所定の照明光軸が設定された光学部品用筐体内に収容されている。
【０００４】
このような光学部品用筐体として、各種光学部品を上方からスライド式に嵌め込む溝部が形成された光学部品用筐体が知られている。この光学部品用筐体には、第１レンズアレイと第２レンズアレイとが所定の距離をおいて配置されるように、第１レンズアレイおよび第２レンズアレイが嵌め込まれる溝部が形成されている。これにより、第１レンズアレイおよび第２レンズアレイの光学部品用筐体への配置を容易にすることができる。
【０００５】
なお、特許文献１には、光学部品用筐体において、第１のレンズアレイおよび第２のレンズアレイのいずれか一方が挿入され、概レンズアレイを位置決めする溝部が、他方のレンズアレイに対する間隔を違えて複数形成されることにより、レンズアレイを複数の位置に配置することが開示されている。これにより、１つの光学部品用筐体で、多種類の光学系に対応可能としている。
【０００６】
また、特許文献２には、光学部品用筐体に形成された溝部に第１のレンズアレイおよび第２のレンズアレイを挿入した後、同一形状で構成される複数の付勢部材を用いて、第１のレンズアレイおよび第２のレンズアレイを溝部に固定することが開示されている。これにより、光学部品用筐体に対する光学部品の固定構造を簡素化し、部品点数を削減することでコスト低減を図っている。
【０００７】
【特許文献１】特開２００５−２７５０９０号公報
【特許文献２】特開２００３−２８７８１４号公報
【発明の開示】
【発明が解決しようとする課題】
【０００８】
しかし、特許文献１に開示される技術では、溝部が複数形成されることにより、複数の溝部を形成するスペースを光学部品用筐体内に確保する必要があり、それにより、光学部品用筐体が大型化してしまうことが考えられる。
従って、溝部をコンパクトに構成し、複数の光学系に対応できる光学部品用筐体が要望されていた。
【課題を解決するための手段】
【０００９】
本発明は、上述した課題の少なくとも一部を解決するためになされたものであり、以下の形態または適用例として実現することが可能である。
【００１０】
（適用例１）本適用例に係る光学部品用筐体は、光源から射出された光束を画像情報に応じて変調して光学像を形成する光変調装置を照明する複数の光学部品を収容し、それぞれの光学部品を所定の位置に配置する光学部品用筐体であって、複数の光学部品は、光源から射出された光束を複数の部分光束に分割する第１レンズアレイと、第１レンズアレイに応じた複数のレンズ要素を備える第２レンズアレイとを含んで構成され、第１レンズアレイおよび第２レンズアレイのいずれか一方が挿入されてレンズアレイを位置決めする溝部が、照明光軸を挟んで対向する位置に２つ形成され、２つの溝部は、一方のレンズアレイにおいて異なる種類のレンズアレイを当接するために、照明光軸に直交して形成され、照明光軸方向に対向させて形成された２つの当接面部をそれぞれ有し、異なる種類のレンズアレイは、溝部に１つ挿入され、当接面部の対応するいずれか一方に、レンズアレイの対応する、光束入射側の面部または光束射出側の面部を当接させて配置されることを特徴とする。
【００１１】
上記光学部品用筐体では、第１レンズアレイおよび第２レンズアレイのいずれか一方が挿入されてレンズアレイを位置決めする溝部が、照明光軸を挟んで対向する位置に２つ形成される。そして、２つの溝部は、一方のレンズアレイにおいて異なる種類のレンズアレイを当接するために、照明光軸に直交して形成され、照明光軸方向に対向させて形成された２つの当接面部をそれぞれ有している。
このように構成される溝部に、例えば、異なる種類の第１レンズアレイの１つを位置決めする場合、溝部に形成される当接面部の対応するいずれか一方に、この第１レンズアレイの対応する光束入射側の面部または光束射出側の面部を当接させて配置する。これにより、光学部品用筐体に、１つの第１レンズアレイに対応する第２レンズアレイとの間隔を調整して異なる種類の第１レンズアレイを配置することができる。
また、例えば、異なる種類の第２レンズアレイの１つを溝部に配置（位置決め）する場合にも、当接面部の対応するいずれか一方に、この第２レンズアレイの対応する光束入射側の面部または光束射出側の面部を当接させて配置する。これにより、光学部品用筐体に、１つの第２レンズアレイに対応する第１レンズアレイとの間隔を調整して異なる種類の第２レンズアレイを配置することができる。
なお、第２レンズアレイの後段に配置される光変調装置の大きさや解像度などを異ならせる（光学系を異ならせる）場合には、その異なる光変調装置に応じて、対応する（異なる）第１レンズアレイおよび第２レンズアレイを用いることになる。しかし、上述の光学部品用筐体によって、異なる種類の第１レンズアレイの１つ、または、異なる種類の第２レンズアレイの１つを、照明光軸を挟んで対向する２つの溝部にそれぞれ形成された当接面部に対し、対応するいずれか一方の当接面部を選択し、当接して配置させることにより、複数の光学系に合わせた光学装置として構成することができる。
また、この溝部は、照明光軸に直交して形成され、照明光軸方向に対向させて当接面部を形成している。そして、この溝部は、照明光軸に平行な方向に、第１レンズアレイ用または第２レンズアレイ用に１つ有することで足りるため、従来のように、照明光軸に平行な方向に複数の溝部を必要としないため、溝部をコンパクトに構成することができる。従って、複数の光学系に対応する光学部品用筐体をコンパクトに構成できる。
【００１２】
（適用例２）上記の光学部品用筐体であって、一方の溝部は、レンズアレイの一方の外周端面を照明光軸に直行する方向で受ける受面部を有し、他方の溝部は、レンズアレイの光束入射側および光束射出側に傾斜して形成された２つの傾斜受面部を有し、異なる種類のレンズアレイを溝部に挿入し、レンズアレイの光束入射側の面部を、光束入射側に対応する当接面部に当接した場合、一方の溝部において、レンズアレイの光束射出側の面部と、光束射出側に対応する当接面部との隙間にレンズアレイを当接面部に押圧する付勢部材を挿入し、他方の溝部において、レンズアレイの光束射出側の外周端面の縁部と光束射出側の傾斜受面部との隙間に付勢部材を挿入することが好ましい。
【００１３】
上記光学部品用筐体では、異なる種類のレンズアレイを溝部に挿入し、レンズアレイの光束入射側の面部を、光束入射側に対応する当接面部に当接する。そして、一方の溝部において、レンズアレイの光束射出側の面部と、光束射出側に対応する当接面部との隙間に付勢部材を挿入する。これにより、レンズアレイの光束入射側の面部を、光束入射側に対応する照明光軸に直交して形成される当接面部に安定して固定することができる。また、他方の溝部において、レンズアレイの光束射出側の外周端面の縁部と光束射出側の傾斜受面部との隙間に付勢部材を挿入する。これにより、レンズアレイの光束射出側の外周端面の縁部を付勢部材が傾斜して押圧することで、レンズアレイの一方の外周端面を一方の溝部に有する受面部に当接させて受けると共に、レンズアレイの他方の外周端面側の光束入射側の面部を光束入射側に対応する他方の溝部の照明光軸に直交して形成される当接面部に安定して固定することができる。従って、溝部に形成する当接面部にレンズアレイを確実に固定することができる。
【００１４】
（適用例３）上記の光学部品用筐体であって、一方の溝部は、レンズアレイの一方の外周端面を照明光軸に直行する方向で受ける受面部を有し、他方の溝部は、レンズアレイの光束入射側および光束射出側に傾斜して形成された２つの傾斜受面部を有し、異なる種類のレンズアレイを溝部に挿入し、レンズアレイの光束射出側の面部を、光束射出側に対応する当接面部に当接した場合、一方の溝部において、レンズアレイの光束入射側の面部と、光束入射側に対応する当接面部との隙間にレンズアレイを当接面部に押圧する付勢部材を挿入し、他方の溝部において、レンズアレイの光束入射側の外周端面の縁部と光束入射側の傾斜受面部との隙間に付勢部材を挿入することが好ましい。
【００１５】
上記光学部品用筐体では、異なる種類のレンズアレイを溝部に挿入し、レンズアレイの光束射出側の面部を、光束射出側に対応する当接面部に当接する。そして、一方の溝部において、レンズアレイの光束入射側の面部と、光束入射側に対応する当接面部との隙間に付勢部材を挿入する。これにより、レンズアレイの光束射出側の面部を、光束射出側に対応する照明光軸に直交して形成される当接面部に安定して固定することができる。また、他方の溝部において、レンズアレイの光束入射側の外周端面の縁部と光束入射側の傾斜受面部との隙間に付勢部材を挿入する。これにより、レンズアレイの光束入射側の外周端面の縁部を付勢部材が傾斜して押圧することで、レンズアレイの一方の外周端面を一方の溝部に有する受面部に当接させて受けると共に、レンズアレイの他方の外周端面側の光束射出側の面部を光束射出側に対応する他方の溝部の照明光軸に直交して形成される当接面部に安定して固定することができる。従って、溝部に形成する当接面部にレンズアレイを確実に固定することができる。
【００１６】
（適用例４）本適用例に係るプロジェクタは、光源から射出された光束を画像情報に応じて変調して光学像を形成し、光学像を投写するプロジェクタであって、上述した、いずれかの光学部品用筐体を備えていることを特徴とする。
【００１７】
上記プロジェクタでは、光学部品用筐体において、異なる光学系に対して、第１レンズアレイまたは第２レンズアレイを固定する溝部をコンパクトに構成するこができるため、異なる光学系に対応でき、しかも、小型化が図れるプロジェクタを実現できる。
【発明を実施するための最良の形態】
【００１８】
以下、実施形態を図面に基づいて説明する。
（第１実施形態）
【００１９】
図１は、第１実施形態に係るプロジェクタを示す斜視図である。図１を参照して、プロジェクタ１の外観上の概略構成を説明する。
【００２０】
プロジェクタ１は、光源（光源装置）から射出された光束を、画像情報に応じて光変調装置で変調して光学像を形成し、その光学像を投写光学装置を介し、画像（例えば、カラー画像）としてスクリーン（図示省略）などに投写するものである。このプロジェクタ１は、図１に示すように、略直方体形状の外装筐体１０で覆われている。この外装筐体１０は、プロジェクタ１の底面１ｂを構成するロアー筐体１１と、底面１ｂ以外の５面（上面１ａ、前面１ｃ、背面１ｄ、右面１ｅ、左面１ｆ）を覆うアッパー筐体１２と、で構成されている。ロアー筐体１１とアッパー筐体１２とは、互いに着脱自在に構成されている。
【００２１】
プロジェクタ１の前面１ｃには、投写用窓１３が略矩形に形成されている。この投写用窓１３の内側には、図示省略する開閉カバーが左右方向にスライド自在に設置され、投写用窓１３を開閉する。図１は、この開閉カバーを開放した状態を示しており、この開閉カバーの後方でプロジェクタ１内部に収容される投写光学装置としての投写レンズ２６が露出している。この状態において、投写レンズ２６から投写される画像光は、投写用窓１３を通過してスクリーンに投写される。なお、プロジェクタ１を使用しない（投写しない）場合には、開閉カバーをスライドして閉塞することで、投写用窓１３を閉じる。これにより、投写用窓１３からプロジェクタ１内部への塵埃の進入を防止している。
【００２２】
また、プロジェクタ１の前面１ｃで左側には、プロジェクタ１内部の温まった空気をプロジェクタ１外部に排気するための排気口１４が形成されている。また、投写用窓１３の右側には、図示省略するリモコン（リモートコントローラ）からの信号を受信するための、受信用窓１５が設置されている。
【００２３】
プロジェクタ１の上面１ａには、上述した投写レンズ２６の上面側に構成される２つのレバー２６ａ，２６ｂを露出する開口部１６が形成されており、ユーザは、このレバー２６ａ，２６ｂを回動させることにより、投写レンズ２６のフォーカス調整およびズーム調整を行なうことができる。また、プロジェクタ１の上面１ａの背面１ｄ側には、プロジェクタ１の動作を操作するための操作パネル１７が設置されている。また、上面１ａで操作パネル１７の左側のコーナ部には、後述する光源ユニット２１０（図２参照）を交換する際に開閉する光源装置用カバー１８が設置されている。
【００２４】
プロジェクタ１の右面１ｅには、プロジェクタ１内部の発熱する光学部品などを冷却するための空気をプロジェクタ１外部から吸気するための吸気口１９が形成されている。なお、図示省略するが、プロジェクタ１の背面１ｄには、外部の装置と信号の授受を行なうインターフェース部や、電源ケーブルと接続するインレットコネクタなどが設置されている。また、プロジェクタ１の底面１ｂには、プロジェクタ１の投写角度を調整する脚（図示省略）などが設置されている。
【００２５】
図２は、プロジェクタの内部を示す斜視図である。図２を参照して、プロジェクタ１の内部の概略構成を説明する。なお、図２は、アッパー筐体１２を取り外し、プロジェクタ１内部に設置される制御基板（メイン基板やインターフェース基板）を取り外した状態を示している。また、光学部品用筐体２７の内部に収容する光学部品も取り外した状態を示している。
【００２６】
図２に示すように、プロジェクタ１本体は、背面１ｄの左右に沿って配置されて一部が前面１ｃに延びる平面視略Ｌ字状の光学装置としての光学ユニット２と、前面１ｃ中央部に並んで配置される電源ユニット４およびバラストユニット３と、これらのユニット２，３，４の上部に配置される制御部としての制御基板（図示省略）とを備えて構成されている。なお、背面１ｄと左面１ｆとのコーナ部には、光学ユニット２を構成する光源ユニット２１０が配置されている。また、プロジェクタ１本体は、右面１ｅに、エアフィルタ１１１、ダクト１１２、および冷却ファン１１３，１１４を備えている。また、プロジェクタ１本体は、左面１ｆにダクト１１５を備えている。
【００２７】
電源ユニット４は、前述したインレットコネクタに接続される電源ケーブルを通して、外部の商用電源などから交流電力を導き、内蔵するＡＣ／ＤＣ変換部（図示省略）で変圧・整流・平滑などの処理を行ない、安定化させた直流電圧をプロジェクタ１を構成する各部に供給する。バラストユニット３は、光源ユニット２１０（光源ランプ２１６（図３参照））に所定の電力を供給して光源ランプ２１６を点灯する。なお、光源ユニット２１０は内部に後述する光源装置２１１（図３参照）を備えている。図示省略する制御基板は、プロジェクタ１内部の各構成部材を統括制御している。
【００２８】
冷却ファン１１３，１１４は、吸気口１９（図１参照）からエアフィルタ１１１を介して外気を吸気する。そして、冷却ファン１１３，１１４は、吸気した外気をダクト１１２内に吐出して流動させ、光学ユニット２の内部に配置され発熱する光学部品に送風して冷却する。また、冷却することにより温まった空気は、図示省略する排気ファンにより、ダクト１１５を流動して排気口１４（図１参照）から外部に排気される。
【００２９】
図３は、プロジェクタの光学ユニットを示す模式図である。図３を参照して、プロジェクタ１の光学ユニット２の構成および動作を説明する。
【００３０】
光学ユニット２は、光源装置２１１を構成する光源ランプ２１６から射出された光束を光学的に処理して画像情報に対応した光学像を形成し、この光学像を拡大して投射するユニットである。そして、光学ユニット２は、インテグレータ照明光学系２１と、色分離光学系２２と、リレー光学系２３と、プリズムユニット２４と、投写レンズ２６と、これらの光学部品２１〜２４，２６を収納する光学部品用筐体２７（図４参照）とを備える。なお、光学部品用筐体２７の詳細は後述する。
【００３１】
インテグレータ照明光学系２１は、プリズムユニット２４を構成する３枚の液晶パネル２４１（赤、緑、青の色光毎に、液晶パネル２４１Ｒ，２４１Ｇ，２４１Ｂとする）の画像形成領域を略均一に照明するための光学系である。そして、インテグレータ照明光学系２１は、光源装置２１１と、第１レンズアレイ２１２Ａと、第２レンズアレイ２１３Ａと、偏光変換素子２１４と、重畳レンズ２１５とを備える。
【００３２】
光源装置２１１は、光源装置２１１を内部に固定する筐体と共に、図２に示した光源ユニット２１０を構成している。そして、光源装置２１１は、放射光源としての光源ランプ２１６と、リフレクタ２１７とを備え、光源ランプ２１６から射出された放射状の光線をリフレクタ２１７で反射して平行光線とし、この平行光線を外部へと射出する。光源ランプ２１６には、高圧水銀ランプを採用している。なお、高圧水銀ランプ以外に、メタルハライドランプやハロゲンランプなども採用できる。また、リフレクタ２１７には、放物面鏡を採用している。なお、放物面鏡の代わりに、平行化用凹レンズおよび楕円面鏡を組み合わせたものを採用してもよい。
【００３３】
第１レンズアレイ２１２Ａは、照明光軸Ａ方向から見て略矩形状の輪郭を有する小レンズがマトリクス状に配列された構成を有している。各小レンズは、光源ランプ２１６から射出される光束を、複数の部分光束に分割している。各小レンズの輪郭形状は、液晶パネル２４１の画像形成領域の形状と略相似形をなすように設定されている。例えば、液晶パネル２４１の画像形成領域のアスペクト比（横と縦の寸法の比率）が４：３であるならば、各小レンズのアスペクト比も４：３に設定する。また、例えば、液晶パネル２４１の画像形成領域のアスペクト比（横と縦の寸法の比率）が１６：９であるならば、各小レンズのアスペクト比も１６：９に設定する。なお、本実施形態では、画像形成領域のアスペクト比が４：３である液晶パネル２４１を採用しているため、第１レンズアレイ２１２Ａの小レンズは、アスペクト比が４：３に設定されている。
【００３４】
第２レンズアレイ２１３Ａは、第１レンズアレイ２１２Ａと略同様な構成を有しており、小レンズがマトリクス状に配列された構成を有している。この第２レンズアレイ２１３Ａは、重畳レンズ２１５と共に、第１レンズアレイ２１２Ａの各小レンズの像を液晶パネル２４１の画像形成領域上に結像させる機能を有している。
【００３５】
偏光変換素子２１４は、第２レンズアレイ２１３Ａと重畳レンズ２１５との間に配置される。このような偏光変換素子２１４は、第２レンズアレイ２１３Ａからの光を１種類の偏光光に変換するものであり、これにより、プリズムユニット２４での光の利用効率が高められている。
【００３６】
具体的には、偏光変換素子２１４によって１種類の偏光光に変換された各部分光は、重畳レンズ２１５によって最終的にプリズムユニット２４の液晶パネル２４１の画像形成領域上に略重畳される。偏光光を変調するタイプの液晶パネル２４１を用いたプロジェクタ１では、１種類の偏光光しか利用できないため、他種類のランダムな偏光光を発する光源ランプ２１６からの光束の略半分が利用されない。このため、偏光変換素子２１４を用いることにより、光源ランプ２１６から射出された光束を全て１種類の偏光光に変換し、プリズムユニット２４での光の利用効率を高めている。
【００３７】
色分離光学系２２は、２枚のダイクロイックミラー２２１，２２２と、反射ミラー２２３とを備え、ダイクロイックミラー２２１，２２２によりインテグレータ照明光学系２１から射出された複数の部分光束を赤（Ｒ）、緑（Ｇ）、青（Ｂ）の３色の色光に分離する機能を有している。
【００３８】
リレー光学系２３は、入射側レンズ２３１と、リレーレンズ２３３と、反射ミラー２３２，２３４とを備え、色分離光学系２２で分離された色光である赤色光を液晶パネル２４１Ｒまで導く機能を有している。
【００３９】
この際、色分離光学系２２のダイクロイックミラー２２１では、インテグレータ照明光学系２１から射出された光束のうち、赤色光成分と緑色光成分とは透過し、青色光成分は反射する。ダイクロイックミラー２２１によって反射した青色光は、反射ミラー２２３で反射し、フィールドレンズ２１８を通って、青色用の液晶パネル２４１Ｂに到達する。このフィールドレンズ２１８は、第２レンズアレイ２１３Ａから射出された各部分光束をその中心軸（主光線）に対して平行な光束に変換する。他の液晶パネル２４１Ｇ，２４１Ｒの光入射側に設けられたフィールドレンズ２１８も同様である。
【００４０】
また、ダイクロイックミラー２２１を透過した赤色光と緑色光のうちで、緑色光は、ダイクロイックミラー２２２によって反射し、フィールドレンズ２１８を通って、緑色用の液晶パネル２４１Ｇに到達する。一方、赤色光は、ダイクロイックミラー２２２を透過してリレー光学系２３を通り、更にフィールドレンズ２１８を通って、赤色光用の液晶パネル２４１Ｒに到達する。
【００４１】
なお、赤色光にリレー光学系２３が用いられているのは、赤色光の光路の長さが他の色光の光路長さよりも長いため、光の発散などによる光の利用効率の低下を防止するためである。すなわち、入射側レンズ２３１に入射した部分光束をそのまま、フィールドレンズ２１８に伝えるためである。なお、リレー光学系２３には、３つの色光のうちの赤色光を通す構成としたが、これに限らず、例えば、青色光を通す構成としてもよい。
【００４２】
プリズムユニット２４は、入射された光束を画像情報に応じて変調してカラー画像を形成するものである。そして、プリズムユニット２４は、色分離光学系２２で分離された各色光が入射される３つの入射側偏光板２４２と、各入射側偏光板２４２の後段に配置される光変調装置としての液晶パネル２４１Ｒ，２４１Ｇ，２４１Ｂと、各液晶パネル２４１Ｒ，２４１Ｇ，２４１Ｂの後段に配置される射出側偏光板２４３と、色合成光学系としてのクロスダイクロイックプリズム２４４とを備える。
【００４３】
液晶パネル２４１Ｒ，２４１Ｇ，２４１Ｂは、例えば、ポリシリコンＴＦＴをスイッチング素子として用いたものである。
プリズムユニット２４において、色分離光学系２２で分離された各色光は、これら３枚の液晶パネル２４１Ｒ，２４１Ｇ，２４１Ｂ、入射側偏光板２４２、および射出側偏光板２４３によって画像情報に応じて変調されて光学像を形成する。
【００４４】
入射側偏光板２４２は、色分離光学系２２で分離された各色光のうち、一定方向の偏光光のみ透過させ、その他の光束を吸収するものであり、サファイアガラスなどの基板に偏光膜が貼付されたものである。また、基板を用いずに、偏光膜をフィールドレンズ２１８に貼り付けてもよい。
【００４５】
射出側偏光板２４３も、入射側偏光板２４２と略同様に構成され、液晶パネル２４１（２４１Ｒ，２４１Ｇ，２４１Ｂ）から射出された光束のうち、所定方向の偏光光のみ透過させ、その他の光束を吸収するものである。また、基板を用いずに、偏光膜をクロスダイクロイックプリズム２４４に貼り付けてもよい。
これらの入射側偏光板２４２および射出側偏光板２４３は、互いの偏光軸の方向が直交するように設定されている。
【００４６】
クロスダイクロイックプリズム２４４は、射出側偏光板２４３から射出され、各色光毎に変調された光学像を合成してカラー画像を形成するものである。クロスダイクロイックプリズム２４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。このようなクロスダイクロイックプリズム２４４は光学ガラスにより構成されている。
投写レンズ２６は、プリズムユニット２４のクロスダイクロイックプリズム２４４で合成されたカラー画像を拡大して投写するものである。
【００４７】
なお、図３では、投写レンズ２６からの投写方向をＹ軸とし、Ｙ軸に直交する２軸をそれぞれＸ軸およびＺ軸とする。図３以降の図も同様である。なお、Ｘ軸は、光源ユニット２１０から投写レンズ２６に至る光束の照明光軸Ａによって形成される平面（図３中、紙面に平行な面）内でＹ軸に直行する軸であり、また、Ｚ軸は、前記平面に直交する軸である。
【００４８】
図４は、プロジェクタの光学部品用筐体を示す斜視図である。図４を参照して、プロジェクタ１の光学部品用筐体２７の構成を説明する。
【００４９】
光学部品用筐体２７は、図４に示すように、各光学部品２１２Ａ，２１３Ａ，２１４，２１５，２１８，２２１〜２２３，２３１〜２３４，２４２を上方からスライド式に嵌め込むための各溝部が形成された下側筐体２７１と、下側筐体２７１の上側開口から所定の光学部品に対して固定する２つの上側筐体２７２，２７３とを備えて構成されている。なお、図４では、光源ユニット２１０（光源装置２１１）、プリズムユニット２４、投写レンズ２６、入射側偏光板２４２は、図示を省略している。
【００５０】
下側筐体２７１は、高耐熱性の合成樹脂により形成され、平面視略Ｌ字状をなしている。そして、下側筐体２７１の一端側の開口２８２には、図示省略する光源ユニット２１０（光源装置２１１）が第１レンズアレイ方向（＋Ｘ軸方向）に光束を射出するように収容される。下側筐体２７１の他端側には、ヘッド部２８１が形成され、そのヘッド部２８１を介して、投写レンズ２６（図示省略）が＋Ｙ軸方向に向かって突出するように、ねじ止め固定される。また、プリズムユニット２４（図示省略）は、下側筐体２７１のヘッド部２８１の前段側の開口２８３に対して上方から挿入し、開口２８３の周囲に対角状に形成する一対の位置決め突起２８３ａに位置決めし、一対のねじ孔２８３ｂにねじ止め固定される。
【００５１】
上側筐体２７２は、高耐熱性の合成樹脂により形成され、平面視略Ｕ字状をなし、開口２８３の周囲で、下側筐体２７１に形成する固定部２８４，２８５，２８６，２８７に上方からねじ止め固定される。この上側筐体２７２は、本実施形態では、ダイクロイックミラー２２１，２２２、入射側レンズ２３１、反射ミラー２３２，２３４、およびフィールドレンズ２１８を上方から固定する。
【００５２】
また、もう一方の上側筐体２７３は、金属製の板部材で形成され、下側筐体２７１に形成する固定部２９０，２９１に上方からねじ止め固定される。この上側筐体２７３は、本実施形態では、第１レンズアレイ２１２Ａ、第２レンズアレイ２１３Ａ、および偏光変換素子２１４を上方から固定する。上側筐体２７３の詳細は後述する。
【００５３】
図５は、第１レンズアレイの光学部品用筐体への固定を示す斜視図である。図６は、第１レンズアレイの構成を説明する斜視図である。図７は、第１レンズアレイが溝部に固定された状態を示す斜視図である。なお、図５は、詳細には、第１レンズアレイ２１２Ａを固定する溝部５１，５２および固定方法を示す斜視図となる。また、図５、図７における下側筐体２７１は、要部のみ図示している。また、図７は、後述する上側筐体２７３を図示省略している。
図５〜図７を参照して、第１レンズアレイ２１２Ａを固定する溝部５１，５２の構造、および第１レンズアレイ２１２Ａの溝部５１，５２への固定方法に関して、第２レンズアレイ２１３Ａも含めて説明する。
【００５４】
図５に示すように、本実施形態では、第１レンズアレイ２１２Ａを固定する２つの溝部５１，５２が、下側筐体２７１の側壁内側に断面略凹形状をなして形成されている。また、第２レンズアレイ２１３Ａを固定する溝部５５，５６も下側筐体２７１の側壁内側に断面略凹形状をなして形成されている。
【００５５】
溝部５１，５２、および溝部５５，５６は、第１レンズアレイ２１２Ａおよび第２レンズアレイ２１３Ａを支持すると共に、第１レンズアレイ２１２Ａおよび第２レンズアレイ２１３Ａを所定の照明光軸Ａ上に配置するものである。また、溝部５１，５２、および溝部５５，５６は、それぞれ照明光軸Ａを挟んで互いに対向する位置（Ｙ軸方向）に形成されている。
【００５６】
なお、この溝部５１，５２は、本実施形態および第２実施形態で説明するが、第２レンズアレイとの間隔を違えて、異なる種類の第１レンズアレイを位置決めできるように形成されている。すなわち、本実施形態では、溝部５１，５２は、第２レンズアレイ２１３Ａに対して所定の距離で第１レンズアレイ２１２Ａを位置決めできるように形成され、また、第２実施形態で説明する異なる第１レンズアレイ２１２Ｂについても、異なる種類の第２レンズアレイ２１３Ｂに対して所定の距離で、この溝部５１，５２に位置決めできるように形成されている。
【００５７】
溝部５１，５２は、照明光軸Ａに直交して形成され、照明光軸Ａ方向（Ｘ軸方向）に対向させて形成された当接面部５１１，５１２、および、当接面部５２１，５２２を有している。なお、当接面部５１１，５１２，５２１，５２２は、鉛直方向（Ｚ軸方向）に形成されている。また、溝部５１の当接面部５１１と溝部５２の当接面部５２１、および溝部５１の当接面部５１２と溝部５２の当接面部５２２とは、異なる第１レンズアレイを用いた場合の照明光軸Ａ方向（Ｘ軸方向）における位置を規制する基準面として形成されている。
【００５８】
なお、本実施形態では、溝部５１の当接面部５１１と溝部５２の当接面部５２１を基準面として第１レンズアレイ２１２Ａの位置規制を行なう。また、後述する第２実施形態では、溝部５１の当接面部５１２と溝部５２の当接面部５２２を基準面として異なる種類の第１レンズアレイ２１２Ｂの位置規制を行なう。
【００５９】
溝部５１には、更に照明光軸Ａに直行する方向（Ｙ軸方向）で第１レンズアレイ２１２Ａの後述する外周端面を受ける受面部５１３を有している。この受面部５１３は、鉛直方向（Ｚ軸方向）に形成されている。従って、溝部５１は、当接面部５１１，５１２と受面部５１３とを有して構成されている。
【００６０】
溝部５２には、更に２つの傾斜受面部５２３，５２４が形成されている。そして、２つの傾斜受面部５２３，５２４は、第１レンズアレイ２１２Ａを溝部５２に挿入した場合に、第１レンズアレイ２１２Ａの光束入射側および光束射出側に傾斜して形成されている。詳細には、傾斜受面部５２３，５２４は、本実施形態では、鉛直方向（Ｚ軸方向）に形成され、かつ照明光軸Ａ方向（Ｘ軸方向）に対してそれぞれ約３０°傾いた平面を有して形成されている。これにより、傾斜受面部５２３，５２４は、約１２０°に交わるように対向して形成される。従って、溝部５２は、当接面部５２１，５２２と、２つの傾斜受面部５２３，５２４とを有して構成されている。
【００６１】
なお、異なる種類の第１レンズアレイを−Ｚ軸方向で受ける受面部５３１が、下側筐体２７１の底壁内側で、溝部５１，５２に隣接して形成されている。この受面部５３１は、異なる種類の第１レンズアレイを用いた場合の−Ｚ軸方向における位置を規制する共通の基準面として形成されている。
【００６２】
溝部５５は、照明光軸Ａに直交して形成され、照明光軸Ａ方向（Ｘ軸方向）に対向させて形成された当接面部５５１，５５２を有している。また、溝部５６は、照明光軸Ａに直交して形成され、照明光軸Ａ方向（Ｘ軸方向）に対向させて形成された当接面部５６１と面部５６２を有している。なお、溝部５６の面部５６２は、本実施形態では、当接面として使用していないため面部として形成しなくてもよい。また、当接面部５５１，５５２，５６１と、面部５６２とは、鉛直方向（Ｚ軸方向）に形成されている。また、溝部５５の当接面部５５１と溝部５６の当接面部５６１とは、異なる種類の第２レンズアレイを用いた場合の照明光軸Ａ方向（Ｘ軸方向）における位置を規制する共通の基準面として形成されている。
【００６３】
また、溝部５５には、照明光軸Ａに直行する方向（Ｙ軸方向）で第２レンズアレイ２１３Ａの後述する外周端面を受ける受面部５５３を有している。この受面部５５３は、鉛直方向（Ｚ軸方向）に形成されている。従って、溝部５５は、当接面部５５１，５５２と受面部５５３とを有して構成されている。
【００６４】
また、溝部５６には、１つの傾斜受面部５６３が形成されている。そして、１つの傾斜受面部５６３は、第２レンズアレイ２１３Ａを溝部５６に挿入した場合に、第２レンズアレイ２１３Ａの光束射出側に傾斜して形成されている。詳細には、傾斜受面部５６３は、本実施形態では、鉛直方向（Ｚ軸方向）に形成され、かつ照明光軸Ａ方向（Ｘ軸方向）に対して約３０°傾いた平面を有して形成されている。従って、溝部５６は、当接面部５６１と面部５６２と傾斜受面部５６３とを有して構成されている。
【００６５】
なお、異なる種類の第２レンズアレイを−Ｚ軸方向で受ける受面部５７１が、下側筐体２７１の底壁内側で、溝部５５，５６に隣接して形成されている。この受面部５７１は、異なる種類の第２レンズアレイを用いた場合の−Ｚ軸方向における位置を規制する共通の基準面として形成されている。
【００６６】
ここで、付勢部材６１は、第１レンズアレイ２１２Ａおよび第２レンズアレイ２１３Ａを各当接面部に押圧するものであり、特開２００３−２８７８１４号公報に公開される付勢部材と同様に構成されている。詳細には、付勢部材６１は、板状部材から構成され、略中央部分の基部６１ａと、この基部６１ａの両端から略ハ字状に延出した腕部６１ｂと、この腕部６１ｂの先端から上記基部６１ａと略平行となるように張り出した脚部６１ｃと、上部に位置する脚部６１ｃから垂直方向に延出した頭部６１ｄとを備えて構成されている。このような付勢部材６１の構成では、基部６１ａに対する腕部６１ｂの開き角が大きくなり、基部６１ａと脚部６１ｃとが平面的に近接した状態で、該基部６１ａと脚部６１ｃとが平面的に離間する方向に力を及ぼす板ばね構造となっている。
【００６７】
本実施形態の光変調装置としての液晶パネル２４１は、上述したように、画像形成領域のアスペクト比（横と縦の寸法の比率）が４：３の大きさで構成されている。この液晶パネル２４１に対応させて、第１レンズアレイ２１２Ａおよび第２レンズアレイ２１３Ａの各小レンズ２１２１，２１３１が構成されている。
【００６８】
本実施形態の第１レンズアレイ２１２Ａは、図６に示すように、小レンズ２１２１が形成される光束入射側の面部２１２２を基準面として形成されている。また、第１レンズアレイ２１２Ａの小レンズ２１２１は、液晶パネル２４１のアスペクト比に対応させて、アスペクト比が略４：３に形成されている。
【００６９】
第２レンズアレイ２１３Ａは、小レンズ２１３１が形成される面部２１３２に対向する反対側の面部２１３３を基準面として形成されている。なお、第２レンズアレイ２１３Ａは、この面部２１３３が、第２レンズアレイ２１３Ａの光束入射側の面部となる。
【００７０】
ここで、第２レンズアレイ２１３Ａの溝部５５，５６への固定方法に関して説明する。
第２レンズアレイ２１３Ａは、小レンズ２１３１が＋Ｘ軸方向を向くように溝部５５，５６に設置される。詳細には、第２レンズアレイ２１３Ａを溝部５５，５６に上方から挿入する。この際、第２レンズアレイ２１３Ａの基準面としての面（光束入射側の面部２１３３）の両端部が、溝部５５，５６の当接面部５５１，５６１に当接するように挿入する。
【００７１】
次に、１つの付勢部材６１（この付勢部材６１を付勢部材６１Ａとする）を、溝部５５の当接面部５５２と、挿入した第２レンズアレイ２１３Ａの小レンズ２１３１が形成される面部２１３３との隙間に沿って上方から挿入する。第２レンズアレイ２１３Ａは、この付勢部材６１Ａにより、当接面部５５１に面部２１３３を当接され、−Ｘ軸方向に押圧され、Ｘ軸方向に位置を規制されて固定される。なお、この状態では、付勢部材６１Ａの頭部６１ｄが、溝部５５の上部に位置する。
【００７２】
次に、もう１つの付勢部材６１（この付勢部材６１を付勢部材６１Ｂとする）を、溝部５６の傾斜受面部５６３と、挿入した第２レンズアレイ２１３Ａの小レンズ２１３１が形成される面部２１３３の外周端面側の縁部との隙間に沿って上方から挿入する。第２レンズアレイ２１３Ａは、この付勢部材６１Ｂにより、当接面部５６１に面部２１３３を当接され、−Ｘ軸方向および＋Ｙ軸方向に押圧され、Ｘ軸方向およびＹ軸方向に位置を規制されて固定される。この際、第２レンズアレイ２１３Ａの溝部５５に挿入された側となる外周端面は溝部５５の受面部５５３に当接して固定される。なお、この状態では、付勢部材６１Ｂの頭部６１ｄが、溝部５６の上部に位置する。
【００７３】
ここで、第１レンズアレイ２１２Ａの溝部５１，５２への固定方法に関して説明する。
第１レンズアレイ２１２Ａは、小レンズ２１２１が−Ｘ軸方向を向くように溝部５１，５２に設置される。詳細には、第１レンズアレイ２１２Ａを溝部５１，５２に上方から挿入する。この際、第１レンズアレイ２１２Ａの基準面としての光束入射側の面部２１２２の両端部が、溝部５１，５２の当接面部５１１，５２１に当接するように挿入する。本実施形態では、溝部５１，５２に形成される基準面としての当接面部５１１，５２１を用いて、第１レンズアレイ２１２Ａの基準面としての光束入射側の面部２１２２を当接させる。
【００７４】
次に、１つの付勢部材６１（この付勢部材６１を付勢部材６１Ｃとする）を、溝部５１の当接面部５１２と、挿入した第１レンズアレイ２１２Ａの小レンズ２１２１が形成される面部２１２２に対向する反対側の面（光束射出側の面部２１２３）との隙間に沿って上方から挿入する。第１レンズアレイ２１２Ａは、この付勢部材６１Ｃにより、当接面部５１１に面部２１２２を当接され、−Ｘ軸方向に押圧され、Ｘ軸方向に位置を規制されて固定される。なお、この状態では、付勢部材６１Ｃの頭部６１ｄが、図７に示すように、溝部５１の上部に位置する。
【００７５】
次に、もう１つの付勢部材６１（この付勢部材６１を付勢部材６１Ｄとする）を、溝部５２の傾斜受面部５２４と、挿入した第１レンズアレイ２１２Ａの光束射出側の面部２１２３の外周端面側の縁部との隙間に沿って上方から挿入する。第１レンズアレイ２１２Ａは、この付勢部材６１Ｄにより、当接面部５２１に面部２１２２を当接され、−Ｘ軸方向および＋Ｙ軸方向に押圧され、Ｘ軸方向およびＹ軸方向に位置を規制されて固定される。この際、第１レンズアレイ２１２Ａの溝部５１に挿入された側となる外周端面は溝部５１の受面部５１３に当接して固定される。なお、この状態では、付勢部材６１Ｄの頭部６１ｄが、図７に示すように、溝部５２の上部に位置する。
【００７６】
ここで、上側筐体２７３の構成に関して説明する。
上側筐体２７３は、上述したように、第１レンズアレイ２１２Ａ、第２レンズアレイ２１３Ａ、および偏光変換素子２１４を上方から固定する部材であり、金属製の板部材で形成される。そして、上側筐体２７３は、平面視略矩形状を有し、−Ｘ軸側には、下方向（−Ｚ軸方向）に向かって折り曲げて形成される一対のバネ２７３Ａを有している。また、上側筐体２７３は、＋Ｘ軸側には、下方向（−Ｚ軸方向）に折り曲げ、更にその先端部を−Ｘ軸方向に折り曲げて形成された断面略Ｌ字状の一対のバネ２７３Ｂを有している。また、上側筐体２７３は、＋Ｘ軸側で下方向（−Ｚ軸方向）に折り曲げ、更にその先端部を＋Ｘ軸方向に折り曲げて形成された断面略Ｌ字状の一つのバネ２７３Ｃを有している。なお、上側筐体２７３は、Ｙ軸方向の両端部側に固定用のねじ孔２７３ａなどを有している。
【００７７】
なお、このように形成される上側筐体２７３は、下側筐体２７１に形成する固定部２９０，２９１に上方から載置してねじ止め固定される。これにより、上側筐体２７３のバネ２７３Ａは、第１レンズアレイ２１２Ａの上方（＋Ｚ軸方向）の外周端面の両端側を押圧することにより、第１レンズアレイ２１２Ａの下方（−Ｚ軸方向）の外周端面の両端側を受面部５３１に当接させて押圧する。
【００７８】
また、上側筐体２７３のバネ２７３Ｂは、第２レンズアレイ２１３Ａの上方（＋Ｚ軸方向）の外周端面の両端側を押圧することにより、第２レンズアレイ２１３Ａの下方（−Ｚ軸方向）の外周端面の両端側を受面部５７１に当接させて押圧する。また上側筐体２７３のバネ２７３Ｃは、図５には図示しない偏光変換素子２１４（図４参照）の上方（＋Ｚ軸方向）の外周端面の略中央を押圧することにより、偏光変換素子２１４の下方（−Ｚ軸方向）の外周端面の両端側を受面部５８１に当接させて押圧する。
【００７９】
この上側筐体２７３により、第１レンズアレイ２１２Ａおよび第２レンズアレイ２１３Ａは、Ｚ軸方向に位置を規制されて固定される。
以上の組立てにより、第１レンズアレイ２１２Ａおよび第２レンズアレイ２１３Ａは、Ｘ軸方向、Ｙ軸方向、およびＺ軸方向の３方向に対し、所定の位置となるように位置を規制されて確実に固定される。
（第２実施形態）
【００８０】
次に、第１レンズアレイ２１２Ａとは異なる第１レンズアレイ２１２Ｂを設置した第２実施形態について説明する。
【００８１】
図８は、第２実施形態に係る第１レンズアレイの光学部品用筐体への固定を示す斜視図ある。図９は、第１レンズアレイの構成を説明する斜視図である。図１０は、第１レンズアレイが溝部に固定された状態を示す斜視図である。なお、図８は、詳細には、第１レンズアレイ２１２Ｂを固定する溝部５１，５２および固定方法を示す斜視図となる。また、図８、図１０における下側筐体２７１は、要部のみ図示している。また、図１０は、上側筐体２７３を図示省略している。
図８〜図１０を参照して、本実施形態での第１レンズアレイ２１２Ｂの溝部５１，５２への固定方法に関して、第２レンズアレイ２１３Ｂも含めて説明する。
【００８２】
なお、本実施形態において、第１実施形態との相違点は、光学系が異なることである。そして、本実施形態は、異なる光学系において、共通の光学部品用筐体２７を用いて光学部品を配置させている。
【００８３】
詳細には、第１実施形態での光変調装置としての液晶パネル２４１（図３）は、画像形成領域のアスペクト比が４：３であるのに対して、本実施形態での光変調装置としての液晶パネル（図示省略）は、アスペクト比を１６：９としている。この違いにより、異なる光学部品は、具体的には、第１レンズアレイ２１２Ｂおよび第２レンズアレイ２１３Ｂである。なお、その他の光学部品に関してもレンズの曲率など若干の変更は実施されるが、第１実施形態と略同様の構成となる。
【００８４】
なお、本実施形態の第２レンズアレイ２１３Ｂの照明光軸Ａ上での配置位置は、第１実施形態での第２レンズアレイ２１３Ａと同位置としている。そして、本実施形態の第１レンズアレイ２１２Ｂの照明光軸Ａ上での配置位置は、第１実施形態の第１レンズアレイ２１２Ａと異ならせている。従って、第１実施形態での第２レンズアレイ２１３Ａと第１レンズアレイ２１２Ａとの距離と、本実施形態での第２レンズアレイ２１３Ｂと第１レンズアレイ２１２Ｂとの距離が異なっている。その他の光学部品の照明光軸Ａ上での配置位置は、本実施形態では変化させていない。なお、第１実施形態での光学部品用筐体２７を本実施形態でも共通に使用するため、光学部品用筐体２７を構成する下側筐体２７１、上側筐体２７２，２７３も共通である。
【００８５】
ここで、第２レンズアレイ２１３Ｂの構成と、溝部５５，５６への固定方法に関して説明する。
図８に示すように、本実施形態の第２レンズアレイ２１３Ｂは、第１レンズアレイ２１２Ｂの小レンズ２１２５に対応させて第２レンズアレイ２１３Ｂの小レンズ２１３５が形成されている。そして、第２レンズアレイ２１３Ｂは、小レンズ２１３５が形成される面部２１３６に対向する反対側の面部２１３７を基準面として形成されている。なお、第２レンズアレイ２１３Ｂは、この面部２１３７が、第２レンズアレイ２１３Ｂの光束入射側の面部となる。そして、このように形成される第２レンズアレイ２１３Ｂは、第１実施形態での第２レンズアレイ２１３Ａと同様に配置されて固定される。
【００８６】
詳細には、第２レンズアレイ２１３Ｂは、小レンズ２１３５が＋Ｘ軸方向を向くように、そして、第２レンズアレイ２１３Ｂを溝部５５，５６に上方から挿入して設置される。この際、第２レンズアレイ２１３Ｂの基準面としての面（光束入射側の面部２１３７）の両端部が、溝部５５，５６の当接面部５５１，５６１に当接するように挿入する。なお、溝部５５の当接面部５５１と溝部５６の当接面部５６１とは、第２レンズアレイ２１３Ｂに対して照明光軸Ａ方向（Ｘ軸方向）における位置を規制する基準面として形成されている。
【００８７】
次に、１つの付勢部材６１（この付勢部材６１を付勢部材６１Ｅとする）を、溝部５５の当接面部５５２と、挿入した第２レンズアレイ２１３Ｂの小レンズ２１３５が形成される面部２１３６との隙間に沿って上方から挿入する。第２レンズアレイ２１３Ｂは、この付勢部材６１Ｅにより、当接面部５５１に面部２１３７を当接され、−Ｘ軸方向に押圧され、Ｘ軸方向に位置を規制されて固定される。なお、この状態では、付勢部材６１Ｅの頭部６１ｄが、溝部５５の上部に位置する。
【００８８】
次に、もう１つの付勢部材６１（この付勢部材６１を付勢部材６１Ｆとする）を、溝部５６の傾斜受面部５６３と、挿入した第２レンズアレイ２１３Ｂの小レンズ２１３５が形成される面部２１３６の外周端面側の縁部との隙間に沿って上方から挿入する。第２レンズアレイ２１３Ｂは、この付勢部材６１Ｆにより、当接面部５６１に面部２１３７を当接され、−Ｘ軸方向および＋Ｙ軸方向に押圧され、Ｘ軸方向およびＹ軸方向に位置を規制されて固定される。この際、第２レンズアレイ２１３Ｂの溝部５５に挿入された側となる外周端面は溝部５５の受面部５５３に当接して固定される。なお、この状態では、付勢部材６１Ｆの頭部６１ｄが、溝部５６の上部に位置する。
【００８９】
ここで、第１レンズアレイ２１２Ｂの構成と、溝部５１，５２への固定方法に関して説明する。
図９に示すように、本実施形態の第１レンズアレイ２１２Ｂは、小レンズ２１２５が形成される面部２１２６に対向する反対側の面部２１２７を基準面として形成されている。なお、第１レンズアレイ２１２Ｂは、この面部２１２７が、第１レンズアレイ２１２Ｂの光束射出側の面部となる。また、第１レンズアレイ２１２Ｂの小レンズ２１２５は、液晶パネル（図示省略）のアスペクト比に対応させて、アスペクト比が略１６：９に形成されている。
【００９０】
第１レンズアレイ２１２Ｂは、小レンズ２１２５が−Ｘ軸方向を向くように、そして、第１レンズアレイ２１２Ｂを溝部５１，５２に上方から挿入して設置される。この際、第１レンズアレイ２１２Ｂの基準面としての光束射出側の面部２１２７の両端部が、溝部５１，５２の当接面部５１２，５２２に当接するように挿入する。なお、溝部５１の当接面部５１２と溝部５２の当接面部５２２とは、第１レンズアレイ２１２Ｂに対して照明光軸Ａ方向（Ｘ軸方向）における位置を規制する基準面として形成されている。そして、本実施形態では、溝部５１，５２に形成される基準面としての当接面部５１２，５２２を用いて、第１レンズアレイ２１２Ｂの基準面としての光束射出側の面部２１２７を当接させている。
【００９１】
次に、１つの付勢部材６１（この付勢部材６１を付勢部材６１Ｇとする）を、溝部５１の当接面部５１１と、挿入した第１レンズアレイ２１２Ｂの小レンズ２１２５が形成される面部２１２６との隙間に沿って上方から挿入する。第１レンズアレイ２１２Ｂは、この付勢部材６１Ｇにより、当接面部５１２に面部２１２７を当接され、＋Ｘ軸方向に押圧され、Ｘ軸方向に位置を規制されて固定される。なお、この状態では、付勢部材６１Ｇの頭部６１ｄが、図１０に示すように、溝部５１の上部に位置する。
【００９２】
次に、もう１つの付勢部材６１（この付勢部材６１を付勢部材６１Ｈとする）を、溝部５２の傾斜受面部５２３と、挿入した第１レンズアレイ２１２Ｂの光束入射側の面部２１２６の外周端面側の縁部との隙間に沿って上方から挿入する。第１レンズアレイ２１２Ｂは、この付勢部材６１Ｈにより、当接面部５２２に面部２１２７を当接され、＋Ｘ軸方向および＋Ｙ軸方向に押圧され、Ｘ軸方向およびＹ軸方向に位置を規制されて固定される。この際、第１レンズアレイ２１２Ｂの溝部５１に挿入された側となる外周端面は溝部５１の受面部５１３に当接して固定される。なお、この状態では、付勢部材６１Ｈの頭部６１ｄが、図１０に示すように、溝部５２の上部に位置する。
【００９３】
なお、この後、第１実施形態と同様に構成される上側筐体２７３を、下側筐体２７１に形成する固定部２９０，２９１に上方から載置してねじ止め固定される。これにより、上側筐体２７３のバネ２７３Ａは、第１レンズアレイ２１２Ｂの上方（＋Ｚ軸方向）の外周端面の両端側を押圧することにより、第１レンズアレイ２１２Ｂの下方（−Ｚ軸方向）の外周端面の両端側を受面部５３１に当接させて押圧する。また、上側筐体２７３のバネ２７３Ｂは、第２レンズアレイ２１３Ｂの上方（＋Ｚ軸方向）の外周端面の両端側を押圧することにより、第２レンズアレイ２１３Ｂの下方（−Ｚ軸方向）の外周端面の両端側を受面部５７１に当接させて押圧する。
【００９４】
この上側筐体２７３により、第１レンズアレイ２１２Ｂおよび第２レンズアレイ２１３Ｂは、Ｚ軸方向に位置を規制されて固定される。
以上の組立てにより、第１レンズアレイ２１２Ｂおよび第２レンズアレイ２１３Ｂは、Ｘ軸方向、Ｙ軸方向、およびＺ軸方向の３方向に対し、所定の位置となるように位置を規制されて確実に固定される。
【００９５】
上述した第１、第２実施形態によれば以下の効果が得られる。
（１）上記実施形態の光学部品用筐体２７によると、第１レンズアレイ２１２Ａ，２１２Ｂが挿入されて第１レンズアレイ２１２Ａ，２１２Ｂを位置決めする溝部５１，５２が、照明光軸Ａを挟んで対向する位置に形成される。そして、溝部５１，５２は、第２レンズアレイ２１３Ａ，２１３Ｂに対する照明光軸Ａ方向の間隔を違えて、異なる種類の前記第１レンズアレイ２１２Ａ，２１２Ｂを当接するために、照明光軸Ａに直交して形成され、また、照明光軸Ａ方向に対向させて形成された当接面部５１１，５１２，５２１，５２２を有している。よって、共通の光学部品用筐体２７を用いて、第１レンズアレイ２１２Ａ、または第１レンズアレイ２１２Ａとアスペクト比が異なる第１レンズアレイ２１２Ｂを共通の溝部５１，５２に挿入して固定することができる。詳細には、第１レンズアレイ２１２Ａまたは第１レンズアレイ２１２Ｂは溝部５１，５２に挿入され、第１レンズアレイ２１２Ａは、対応する当接面部５１１，５２１に、光束入射側の面部２１２２を当接させて配置され、第１レンズアレイ２１２Ｂは、対応する当接面部５１２，５２２に、光束射出側の面部２１２７を当接させて配置される。なお、この溝部５１，５２は、照明光軸Ａに平行な方向に、異なる第１レンズアレイ用に１つ有することで足りるため、従来のように、照明光軸に平行な方向に複数の溝部を必要としないため、溝部５１，５２をコンパクトに構成することができる。従って、複数の光学系に対応する光学部品用筐体２７をコンパクトに構成できる。また、光学設計を最適化するための自由度を拡大することができる。また、複数の光学系（複数の製品仕様）に対応できるため、光学部品用筐体２７の製造コストを低減することができる。
【００９６】
（２）上記実施形態の光学部品用筐体２７によると、第１レンズアレイ２１２Ａを溝部５１，５２に挿入し、第１レンズアレイ２１２Ａの光束入射側の面部２１２２を、光束入射側に対応する当接面部となる当接面部５１１，５２１に当接する。その際、溝部５１において、第１レンズアレイ２１２Ａの光束射出側の面部２１２３と、光束射出側に対応する当接面部５１２との隙間に付勢部材６１Ｃを挿入することにより、第１レンズアレイ２１２Ａの光束入射側の面部２１２２を、光束入射側に対応する照明光軸Ａに直交して形成される当接面部５１１に安定して固定することができる。また、溝部５２において、第１レンズアレイ２１２Ａの光束射出側の面部２１２３の外周端面側の縁部と、光束射出側の傾斜受面部５２４との隙間に付勢部材６１Ｄを挿入する。これにより、第１レンズアレイ２１２Ａの光束射出側の外周端面の縁部を付勢部材６１Ｄが傾斜して押圧することで、第１レンズアレイ２１２Ａの一方の外周端面を溝部５１に有する受面部５１３に当接させて受けると共に、第１レンズアレイ２１２Ａの他方の外周端面側の光束入射側の面部２１２２を光束入射側に対応する溝部５２の照明光軸Ａに直交して形成される当接面部５２１に安定して固定することができる。従って、溝部５１，５２に形成する当接面部５１１，５２１に第１レンズアレイ２１２Ａを確実に固定することができる。
【００９７】
（３）上記実施形態の光学部品用筐体２７によると、第１レンズアレイ２１２Ｂを、第１実施形態と共通の溝部５１，５２に挿入し、第１レンズアレイ２１２Ｂの光束射出側の面部２１２７を、光束射出側に対応する当接面部となる当接面部５１２，５２２に当接する。その際、溝部５１において、第１レンズアレイ２１２Ｂの光束入射側の面部２１２６と、光束入射側に対応する当接面部５１１との隙間に付勢部材６１Ｇを挿入することにより、第１レンズアレイ２１２Ｂの光束射出側の面部２１２７を、光束射出側に対応する照明光軸Ａに直交して形成される当接面部５１２に安定して固定することができる。また、溝部５２において、第１レンズアレイ２１２Ｂの光束入射側の面部２１２６の外周端面側の縁部と光束入射側の傾斜受面部５２３との隙間に付勢部材６１Ｈを挿入する。これにより、第１レンズアレイ２１２Ｂの光束入射側の外周端面の縁部を付勢部材６１Ｈが傾斜して押圧することで、第１レンズアレイ２１２Ｂの一方の外周端面を溝部５１に有する受面部５１３に当接させて受けると共に、第１レンズアレイ２１２Ｂの他方の外周端面側の光束射出側の面部２１２７を光束射出側に対応する溝部５２の照明光軸Ａに直交して形成される当接面部５２２に安定して固定することができる。従って、溝部５１，５２に形成する当接面部５１２，５２２に第１レンズアレイ２１２Ｂを確実に固定することができる。
【００９８】
（４）上記実施形態の光学部品用筐体２７によると、第１レンズアレイ２１２Ａと第２レンズアレイ２１３Ａ、および、第１レンズアレイ２１２Ｂと第２レンズアレイ２１３Ｂを固定するのに共通の付勢部材６１を使用しているため、異なる光学系において、作業工程を単純化し、組立てコストを低減することができる。
【００９９】
（５）上記実施形態のプロジェクタ１によると、異なる光学系に対して、第１レンズアレイ２１２Ａ，２１２Ｂを固定する溝部５１，５２をコンパクトに構成する光学部品用筐体２７を有しているため、異なる光学系に対応でき、しかも、小型化が図れるプロジェクタを実現できる。
【０１００】
なお、上記実施形態で示した溝部５１，５２によると、この溝部５１，５２は、照明光軸Ａに直交して形成され、照明光軸Ａ方向に対向させて当接面部５１１，５１２，５２１，５２２を形成している。そして、この溝部５１，５２は、異なる第１レンズアレイ２１２Ａ，２１２Ｂ用に、照明光軸Ａに平行な方向に、１つ有することで足りるため、従来のように、異なる第１レンズアレイ用に、照明光軸に平行な方向に、複数の溝部を必要としないため、溝部をコンパクトに構成することができる。従って、複数の光学系に対応する光学部品用筐体２７をコンパクトに構成することができる。
【０１０１】
なお、上述した実施形態に限定されず、種々の変更や改良などを加えて実施することが可能である。変形例を以下に述べる。
（変形例１）前記第１、第２実施形態では、光学部品用筐体２７において、第２レンズアレイ２１３Ａ，２１３Ｂの照明光軸Ａ上の位置を共通とし、この第２レンズアレイ２１３Ａ，２１３Ｂと照明光軸Ａ上の位置を異ならせる第１レンズアレイ２１２Ａ，２１２Ｂに対して、本発明を適用した溝部５１，５２を形成している。しかし、これとは逆に、第１レンズアレイ２１２Ａ，２１２Ｂの照明光軸Ａ上の位置を共通とし、この第１レンズアレイ２１２Ａ，２１２Ｂと照明光軸Ａ上の位置を異ならせる第２レンズアレイ２１３Ａ，２１３Ｂに対して、本発明を適用して溝部を形成してもよい。
【０１０２】
（変形例２）前記第１、第２実施形態の光学部品用筐体２７の溝部５１，５２において、第１実施形態では、付勢部材６１Ｃ，６１Ｄを用いて第１レンズアレイ２１２Ａを固定している。また、第２実施形態では、付勢部材６１Ｇ，６１Ｈを用いて、第１レンズアレイ２１２Ａと異なる第１レンズアレイ２１２Ｂを固定している。しかし、付勢部材６１Ｃ，６１Ｄ，６１Ｇ，６１Ｈを用いずに、接着材を用いて、溝部５１，５２の所定の面部に第１レンズアレイ２１２Ａおよび第１レンズアレイ２１２Ｂを当接させて接着することで固定してもよい。
詳細には、第１レンズアレイ２１２Ａを固定する場合には、第１レンズアレイ２１２Ａの光束入射側の面部２１２２を溝部５１の当接面部５１１と溝部５２の当接面部５２１に当接させる。また、溝部５１側となる第１レンズアレイ２１２Ａの端面を受面部５１３に当接させる。そして、第１レンズアレイ２１２Ａの下方の端面を受面部５３１に当接させ、その後、接着することでよい。
また、第１レンズアレイ２１２Ｂを固定する場合には、第１レンズアレイ２１２Ｂの光束射出側の面部２１２７を溝部５１の当接面部５１２と溝部５２の当接面部５２２に当接させる。また、溝部５１側となる第１レンズアレイ２１２Ｂの端面を受面部５１３に当接させる。そして、第１レンズアレイ２１２Ｂの下方の端面を受面部５３１に当接させ、その後、接着することでよい。
なお、前記第１、第２実施形態の光学部品用筐体２７の溝部５５，５６においても、同様のことがいえ、第２レンズアレイ２１３Ａ，２１３Ｂの固定において、付勢部材６１Ａ，６１Ｂ，６１Ｅ，６１Ｆを用いずに、接着剤で接着して溝部５５，５６の所定の面部に固定してもよい。
【０１０３】
（変形例３）前記第１、第２実施形態において、第１レンズアレイ２１２Ａ，２１２Ｂ、および、第２レンズアレイ２１３Ａ，２１３Ｂを固定する付勢部材６１は、共通の付勢部材６１を用いているが、異なる形状の付勢部材を用いて固定してもよい。
【０１０４】
（変形例４）前記第１、第２実施形態では、光学部品用筐体２７において、第２レンズアレイ２１３Ａ，２１３Ｂの照明光軸Ａ上の位置を共通とし、この第２レンズアレイ２１３Ａ，２１３Ｂと照明光軸Ａ上の位置を異ならせる第１レンズアレイ２１２Ａ，２１２Ｂに対して、本発明を適用した溝部５１，５２を形成している。しかし、これに限られず、例えば、異なる種類の第１レンズアレイ用の溝部（例えば、本実施形態での溝部５１，５２）と、異なる種類の第２レンズアレイ用の溝部（溝部５１，５２と同様の構成の溝部）とを個別に１つずつ形成して、第１レンズアレイおよび第２レンズアレイを対応するそれぞれの溝部および当接面部に適宜配置することでもよい。このように構成することで、光学設計を最適化するための自由度が更に拡大する。
【０１０５】
（変形例５）前記第１、第２実施形態において、第１レンズアレイ２１２Ａ，２１２Ｂの小レンズ２１２１，２１２５は、光源装置２１１側（光束入射側）を向くように配置されている。また、第２レンズアレイ２１３Ａ，２１３Ｂの小レンズ２１３１，２１３５は、偏光変換素子側（光束射出側）を向くように配置されている。しかし、これに限られず、第１レンズアレイの小レンズと、第２レンズアレイの小レンズとがお互い向き合う方向で配置されてもよく、光学設計において適宜設定することができる。
【０１０６】
（変形例６）前記第１、第２実施形態において、第１レンズアレイ２１２Ａ，２１２Ｂは、小レンズ２１２１，２１２５のアスペクト比を異ならせている。しかし、これに限られず、第１レンズアレイは、光変調装置で形成される光学像の光量や照明マージンなどを調整可能とするために、同じアスペクト比であっても、小レンズの個々の外形や曲率などを異ならせるものでもよい。また、第１レンズアレイは、光変調装置としての液晶パネルの画像形成領域のサイズの違いに対応したものでもよい。
【０１０７】
（変形例７）前記第１、第２実施形態のプロジェクタ１の光学系において、光変調装置としての液晶パネル２４１は、透過型の液晶パネルを用いているが、反射型の液晶パネルなど、反射型の光変調装置を用いることも可能である。
【０１０８】
（変形例８）前記第１、第２実施形態のプロジェクタ１の光学系において、光変調装置としての液晶パネル２４１を用いている。しかし、これに限られず、一般に、入射光を画像情報に応じて変調するものであればよく、マイクロミラー型光変調装置などを用いてもよい。なお、マイクロミラー型光変調装置としては、例えば、ＤＭＤ（Digital Micro mirror Device）を用いることができる。
【０１０９】
（変形例９）前記第１、第２実施形態のプロジェクタ１の光学系において、光変調装置は、赤色光、緑色光、および青色光に対応する３つの液晶パネル２４１Ｒ，２４１Ｇ，２４１Ｂを用いるいわゆる３板方式を採用しているが、これに限られず、単板方式を採用してもよい。また、コントラストを向上するための液晶パネルを追加して採用してもよい。
【０１１０】
（変形例１０）前記第１、第２実施形態のプロジェクタ１は、フロントタイプのプロジェクタとして適用しているが、投写対象面としてのスクリーンを一体で有するリアタイプのプロジェクタにも適用できる。
【図面の簡単な説明】
【０１１１】
【図１】第１実施形態に係るプロジェクタを示す斜視図。
【図２】プロジェクタの内部を示す斜視図。
【図３】プロジェクタの光学ユニットを示す模式図。
【図４】プロジェクタの光学部品用筐体を示す斜視図。
【図５】第１レンズアレイの光学部品用筐体への固定を示す斜視図。
【図６】第１レンズアレイの構成を説明する斜視図。
【図７】第１レンズアレイが溝部に固定された状態を示す斜視図。
【図８】第２実施形態に係る第１レンズアレイの光学部品用筐体への固定を示す斜視図。
【図９】第１レンズアレイの構成を説明する斜視図。
【図１０】第１レンズアレイが溝部に固定された状態を示す斜視図。
【符号の説明】
【０１１２】
１…プロジェクタ、２１…インテグレータ照明光学系、２７…光学部品用筐体、５１，５２，５５，５６…溝部、６１…付勢部材、２１２Ａ，２１２Ｂ…第１レンズアレイ、２１３Ａ，２１３Ｂ…第２レンズアレイ、２１４…偏光変換素子、２４１…液晶パネル、２７１…下側筐体、２７２，２７３…上側筐体、２９０，２９１…固定部、５１１，５１２…当接面部、５１３…受面部、５２１，５２２…当接面部、５２３，５２４…傾斜受面部、５５１，５５２，５６１…当接面部、５５３…受面部、５６３…傾斜受面部。
【図１】
2009210855.tif 000003
【図２】
2009210855.tif 000004
【図３】
2009210855.tif 000005
【図４】
2009210855.tif 000006
【図５】
2009210855.tif 000007
【図６】
2009210855.tif 000008
【図７】
2009210855.tif 000009
【図８】
2009210855.tif 000010
【図９】
2009210855.tif 000011
【図１０】
2009210855.tif 000012